(57)【要約】【課題】撮影光学系や投射レンズ系等において光軸の傾き調整を容易に行うことができる交換レンズを提供する。【解決手段】交換レンズ１００は、レンズ群２００を保持する鏡筒部と、カメラ本体に着脱可能に結合されるマウント４０と、鏡筒部とマウント４０との間に光軸方向に挟持されるスペーサ３１とを有する。スペーサ３１は、光軸方向の一方の面に周方向に複数の第１の座面３１ｃがそれぞれ光軸方向に突出して設けられ、他方の面に周方向に複数の第２の座面３１ｄがそれぞれ光軸方向に突出して設けられ、複数の第２の座面３１ｄは、複数の第１の座面３１ｃで近似される面３１ｆに対して複数の第２の座面３１ｄで近似される面３１ｇが角度を有するように、光軸方向の高さを異ならせて配置されている。【選択図】図７
2019132937.tif 000002
【特許請求の範囲】
【請求項１】
レンズ群を保持する鏡筒部と、カメラ本体に着脱可能に結合されるレンズマウントと、前記鏡筒部と前記レンズマウントとの間に光軸方向に挟持されるスペーサと、を有する交換レンズであって、
前記スペーサは、光軸方向の一方の面に周方向に複数の第１の座面がそれぞれ光軸方向に突出して設けられ、他方の面に周方向に複数の第２の座面がそれぞれ光軸方向に突出して設けられ、
前記複数の第１の座面および前記複数の第２の座面のうちの一方の複数の座面は、前記複数の第１の座面で近似される面に対して前記複数の第２の座面で近似される面が角度を有するように、光軸方向の高さを異ならせて配置されていることを特徴とする交換レンズ。
【請求項２】
前記第１の座面と前記第２の座面とは、光軸方向に略平行であり、前記複数の第１の座面および前記複数の第２の座面のうちの他方の座面で近似される面は、前記光軸と略直交する面に沿って配置されていることを特徴とする請求項１に記載の交換レンズ。
【請求項３】
前記複数の第１の座面および前記複数の第２の座面のうちの一方の複数の座面は、同一の高さの座面を含むことを特徴とする請求項１又は２に記載の交換レンズ。
【請求項４】
前記スペーサは、前記鏡筒部に対して光軸を中心に回転が可能に挟持されていることを特徴とする請求項１乃至３のいずれか一項に記載の交換レンズ。
【請求項５】
前記鏡筒部と前記レンズマウントとは、前記スペーサを介して周方向に配置された複数のねじにより光軸方向に締結されていることを特徴とする請求項１乃至４のいずれか一項に記載の交換レンズ。
【請求項６】
前記第１の座面および前記第２の座面の数は、前記複数のねじの数の倍数であることを特徴とする請求項５に記載の交換レンズ。
【請求項７】
前記複数の第１の座面および前記複数の第２の座面のうちの一方の複数の座面は、周方向に交互に同一の高さの座面を有することを特徴とする請求項６に記載の交換レンズ。
【請求項８】
カメラ本体と、前記カメラ本体に着脱可能に装着される交換レンズを備えるカメラシステムであって、
前記交換レンズとして、請求項１乃至７のいずれか一項に記載の交換レンズを備えることを特徴とするカメラシステム。
【発明の詳細な説明】
【技術分野】
【０００１】
本発明は、交換レンズ及びそれを有するカメラシステムに関する。
【背景技術】
【０００２】
カメラ本体に交換レンズを着脱可能に装着するカメラシステムでは、カメラ本体と交換レンズとの間の結合手段としてバヨネット構造をしたレンズマウントを有する構造が多く用いられている。これらの交換レンズでは、鏡筒部品の製造誤差によって生じる光軸の傾きを、レンズマウントとの間に所定厚さのワッシャを介装することで、所定の傾きになるように調整している。
【先行技術文献】
【特許文献】
【０００３】
【特許文献１】特開２００３−１５０１０号公報
【発明の概要】
【発明が解決しようとする課題】
【０００４】
しかし、上記特許文献１では、厚みの異なる複数のワッシャを用意しなければならず、効率が悪く、さらに、ワッシャを組み込む作業は難易度が高いため、作業性が悪い。
【０００５】
そこで本発明の目的は、撮影光学系や投射レンズ系等において光軸の傾き調整を容易に行うことができる交換レンズ、及びそれを有するカメラシステムを提供することにある。
【課題を解決するための手段】
【０００６】
上記目的を達成するために、本発明は、レンズ群を保持する鏡筒部と、カメラ本体に着脱可能に結合されるレンズマウントと、前記鏡筒部と前記レンズマウントとの間に光軸方向に挟持されるスペーサと、を有する交換レンズであって、前記スペーサは、光軸方向の一方の面に周方向に複数の第１の座面がそれぞれ光軸方向に突出して設けられ、他方の面に周方向に複数の第２の座面がそれぞれ光軸方向に突出して設けられ、前記複数の第１の座面および前記複数の第２の座面のうちの一方の複数の座面は、前記複数の第１の座面で近似される平面に対して前記複数の第２の座面で近似される平面が角度を有するように、光軸方向の高さを異ならせて配置されていることを特徴とする。
【発明の効果】
【０００７】
本発明によれば、光軸の傾き調整を容易に行うことができる交換レンズ、及びそれを有するカメラシステムを提供することができる。
【図面の簡単な説明】
【０００８】
【図１】本発明の第１の実施形態に係る交換レンズの無限距離撮影時における断面図である。
【図２】交換レンズの固定筒をレンズマウント側から光軸方向に見た図である。
【図３】交換レンズのレンズマウント付近の分解斜視図である。
【図４】交換レンズをカメラ本体に装着した状態を示す図である。
【図５】フラットスペーサの概念図である。
【図６】交換レンズのレンズマウント付近の拡大断面図である。
【図７】チルトスペーサの概念図である。
【図８】本発明の第２の実施形態に係る交換レンズにおけるチルトスペーサの第１の組み込み状態を示す概念図である。
【図９】チルトスペーサの第２の組み込み状態を示す概念図である。
【発明を実施するための形態】
【０００９】
以下、図面を参照して、本発明の実施形態を説明する。
【００１０】
（第１の実施形態）
図１は、本発明の第１の実施形態に係る交換レンズの無限距離撮影時における断面図である。図１において、本実施形態の交換レンズ１００は、フォーカスレンズ群を含むレンズ群２００を保持する保持筒、固定筒１０、マウントシート２０、フラットスペーサ３０（又はチルトスペーサ３１）、マウント４０、コネクタ４３、裏蓋４４及びねじ５０を有する。保持筒と固定筒１０により交換レンズ１００の鏡筒部を構成している。本実施形態の交換レンズ１００は、カメラ本体３００（図４参照）に対して着脱可能に装着されてカメラシステムを構成する。
【００１１】
図２は、固定筒１０をレンズマウント４０側から光軸ｘ方向に見た図である。図３は、交換レンズ１００のレンズマウント４０付近の分解斜視図である。図２に示すように、固定筒１０には、マウントシート２０とフラットスペーサ３０（又はチルトスペーサ３１）の位置決め部１０ａ、マウントシート２０とマウント４０の受け面１０ｂ、及びマウント４０と径嵌合する嵌合部１０ｄが設けられている。
【００１２】
また、固定筒１０の受け面１０ｂは、周方向に略等間隔で４箇所配置され、受け面１０ｂの中央部には、レンズマウント４０（以下、マウント４０という。）を４本のねじ５０で固定するためのねじ穴１０ｃが設けられている。マウントシート２０の厚みは、光学設計により求められたバックフォーカス調整に必要な厚みとなっている。図３に示すように、マウントシート２０は、固定筒１０の位置決め部１０ａ（図２参照）とマウントシート２０の位置決め２０ａを合わせることで固定筒１０に位置決めされる。
【００１３】
フラットスペーサ３０には、固定筒１０との位置決め部３０ａが設けられ、また、ねじ５０が貫通する貫通穴３０ｂがねじ穴１０ｃに対応して設けられている。また、フラットスペーサ３０には、貫通穴３０ｂと同軸上にマウントシート２０を介して固定筒１０と当接する受け面３０ｃ、及びマウント４０と当接する受け面３０ｄが設けられている。フラットスペーサ３０は、位置決め部３０ａを固定筒１０の位置決め部１０ａに合わせることで固定筒１０に位置決めされる。
【００１４】
チルトスペーサ３１には、固定筒１０との位置決め部３１ａが設けられ、また、ねじ５０が貫通する貫通穴３１ｂがねじ穴１０ｃに対応して設けられている。また、チルトスペーサ３１には、貫通穴３１ｂと同軸上にマウントシート２０を介して固定筒１０と当接する受け面（第１の座面）３１ｃ、及びマウント４０と当接する受け面（第２の座面）３１ｄが設けられている。
【００１５】
チルトスペーサ３１の貫通穴３１ｂは、ねじ穴１０ａと同じ位相に４カ所、ねじ穴１０ａに対して４５度位相をずらした位置に４ヶ所の合計８ヶ所設けられており、固定筒１０との位置決め部３１ａも同様に８ヶ所設けられている。チルトスペーサ３１は、位置決め部３１ａを固定筒１０の位置決め部１０ａに合わせることで、固定筒１０に位置決めされる。フラットスペーサ３０及びチルトスペーサ３１は、交換レンズ１００の全体倒れ調整時にいずれか一方を組み込むが、詳細については、後述する。
【００１６】
マウント４０には、バヨネット爪４０ｂが周方向に略等間隔で３箇所設けられ、また、ねじ５０が貫通する貫通穴４０ｃがねじ穴１０ｃに対応して設けられている。マウント４０の固定筒１０側を向く面には、フラットスペーサ３０（又はチルトスペーサ３１）と当接する当接面４０ａが設けられている。また、マウント４０には、コネクタ４３がねじ４２により固定され、裏蓋４４が爪４４ａにより固定されている。
【００１７】
図４は、交換レンズ１００をカメラ本体３００に装着した状態を示す図である。カメラ本体３００は、カメラマウント（不図示）を有し、カメラマウントには、交換レンズ１００のマウント４０のバヨネット爪４０ｂに対応するバヨネット（不図示）が周方向に略等間隔で３箇所設けられている。マウント４０のバヨネット爪４０ｂをカメラ本体３００のカメラマウントに設けられたバヨネットに嵌め合わせることで、交換レンズ１００とカメラ本体３００とが結合される。
【００１８】
マウントシート２０及びフラットスペーサ３０は、マウント４０の貫通穴４０ｃを貫通したねじ５０がフラットスペーサ３０の貫通穴３０ｂとマウントシート２０の貫通穴２０ｂを通り、固定筒１０のネジ穴１０ｃに締結される。
【００１９】
または、マウントシート２０及びチルトスペーサ３１は、マウント４０の貫通穴４０ｃを貫通したねじ５０がチルトスペーサ３１の貫通穴３１ｂとマウントシート２０の貫通穴２０ｂを通り、固定筒１０のネジ穴１０ｃに締結される。
【００２０】
これにより、マウント４０と固定筒１０の間にマウントシート２０及びフラットスペーサ３０（又はチルトスペーサ３１）が光軸方向に狭持される。なお、固定筒１０とマウント４０は、固定筒１０の嵌合部１０ｄにマウント４０の嵌合部４０ｄを嵌合した状態でねじ５０で締結することで、固定筒１０とマウント４０の中心が一致する。
【００２１】
ここで、交換レンズ１００は、最終調整でバックフォーカス調整及び全体倒れ調整が行われる。バックフォーカス調整及び全体倒れ調整は、レンズや鏡筒の部品製造誤差等によって生じる無限ピントのずれ、即ち無限遠物体に焦点合わせをしたときの、交換レンズの所定面から焦点面までの距離及びレンズ全体の倒れについて、設計値からのずれを修正する。
【００２２】
まず、従来のバックフォーカス調整について説明する。従来のバックフォーカス調整方法は、固定筒にマウントが組まれた状態の交換レンズを無限ピント調整機にセットし、フォーカスレンズ群を無限遠物体に焦点を合わせたときの設計距離に配置する。この状態でイメージセンサ(結像面)を光軸方向へ前後させ、設計値と実測値の焦点距離のずれ量を算出する。
【００２３】
無限ピント調整機により算出された焦点距離のずれ量を基にマウント当接面を切削し、バックフォーカスが所定値となるように調整する。各レンズや部品の加工誤差のばらつきにより、焦点距離はマウントを厚くする方向にずれているか、薄くする方向にずれているかが不明である。そのため、マウント当接面の切削量はあらかじめ各レンズや鏡筒の製造誤差から生じるバックフォーカスのずれ量を求め、マウントを厚くする方向にずれている値よりもさらに厚く形成しておく。これにより、マウントはバックフォーカスのずれ量に関係なく必ず切削され、固定筒に嵌め合わされ取り付けられる。
【００２４】
このように、従来はバックフォーカス調整を行う場合、固定筒のマウントを受ける当接面を光軸と直交する方向に設け、一方のマウント当接面を無限ピント調整機の測定結果から得られた焦点距離のずれ量を基に切削して調整をする。又は、他方の固定筒の当接面を切削して調整をする。しかし、従来のバックフォーカス調整ではマウント当接面の切削に工数がかかり、切削粉などのリスクも増える。
【００２５】
一方、従来の全体倒れ調整方法は、上述したバックフォーカス調整が終了した交換レンズを倒れ調整機にセットし、イメージセンサとレンズ群の倒れが規定値以内に入っているか測定し、測定結果が規定の倒れ量以内に入っていればそのまま次の工程へ進む。測定結果が規定の倒れ量を超えた場合、交換レンズを倒れ調整機から外し、倒れ調整機の測定結果から得られた倒れ量に相当する厚みを持ったワッシャを、固定筒のマウントを受ける当接面とマウント当接面の間の所定の位置へ配置する。
【００２６】
ここで、固定筒のマウントを受ける当接面は光軸と直交しているため、所定の位置に意図した厚みを持ったワッシャを配置することで、マウント当接面に対し交換レンズ全体が倒れ調整機より算出された方向へ傾く。これにより、イメージセンサとレンズ群の倒れが規定値以内に調整される。しかし、従来の全体倒れ調整では、異なる厚みのワッシャを複数枚用意しなければならず、また、ワッシャを配置する作業は難易度が高く作業性が悪い。
【００２７】
次に、本実施形態におけるバックフォーカス調整について説明する。本実施形態におけるバックフォーカス調整方法は、固定筒１０にマウントシート２０、フラットスペーサ３０、マウント４０がねじ５０により固定された状態の交換レンズ１００を無限ピント調整機にセットする。そして、フォーカスレンズ群を無限遠物体に焦点を合わせたときの設計距離に配置し、イメージセンサ（不図示）を光軸ｘの方向へ前後させ、設計値と実測値の焦点距離のずれ量を算出する。
【００２８】
次に、無限ピント調整機により算出された焦点距離のずれ量を基に、マウントシート２０を追加、もしくは除去する。マウントシート２０の厚みは、前述のとおり光学設計より求められたバックフォーカス調整に必要な厚みとなっている。各レンズや部品の加工誤差のばらつきにより、焦点距離はマウントシート２０を追加する方向にずれているか、除去する方向にずれているかが不明である。そのため、マウントシート２０は通常状態で１枚配置し、測定結果により追加、もしくは除去することで、バックフォーカスが所定値となるように調整できる構造となっている。
【００２９】
このように、本実施形態では、交換レンズ１００のバックフォーカス調整を行う場合、無限ピント調整機の測定結果から得られた焦点距離のずれ量を基に、マウントシート２０を追加、もしくは除去することでバックフォーカスの調整を行っている。
【００３０】
次に、本実施形態における全体倒れ調整について説明する。本実施形態における全体倒れ調整方法は、上述したバックフォーカス調整が終了した交換レンズ１００を倒れ調整機にセットし、イメージセンサとレンズ群２００の倒れが規定値以内に入っているかを測定する。そして、測定結果から、レンズ群２００の倒れが規定値以内に入っていればそのまま次の工程へ進むが、倒れが規定値を超えた場合、フラットスペーサ３０をチルトスペーサ３１に交換して交換レンズ１００の倒れ調整を行う。
【００３１】
ここで、図２，図５〜図７を参照して、フラットスペーサ３０とチルトスペーサ３１の構成について説明する。図５（ａ）はフラットスペーサ３０を光軸方向から見た概念図、図５（ｂ）は図５（ａ）の側面から見た概念図である。図６は、交換レンズ１００のマウント４０付近の拡大断面図である。
【００３２】
まず、フラットスペーサ３０について説明する。図２及び図５に示すように、フラットスペーサ３０には、前述のとおり、固定筒１０の受け面１０ｂ、及びマウント４０の貫通穴４０ｃと同位相に貫通穴３０ｂが設けられている。貫通穴３０ｂは、光軸と略平行に突出し、かつ筒部の中央を貫通して形成され、筒部の先端面には、マウント４０と当接する受け面３０ｄが貫通穴３０ｂと同軸に設けられている。なお、図５では、筒部の高さは、便宜上誇張して図示しており、フラットスペーサ３０は、ねじ５０の締め付けにより光軸方向に挟持される。
【００３３】
フラットスペーサ３０の受け面３０ｄの反対側には、マウントシート２０を介して固定筒１０の受け面１０ｂと当接する受け面３０ｃが貫通穴３０ｂと同軸に設けられている。更に、フラットスペーサ３０には、組み込み方向の目印３０ｅ、及び固定筒１０との位置決め部３０ａが設けられている。
【００３４】
固定筒１０の受け面１０ｂは、前述のとおり光軸ｘと直交する方向に設けられているため、フラットスペーサ３０を交換レンズ１００に組み込んだ場合、固定筒１０の受け面１０ｂとマウント４０の受け面４０ａは略平行となる（図６参照）。
【００３５】
目印３０ｅは、一カ所に設けられ、受け面３０ｃと受け面３０ｄは、前述したように、周方向に略等間隔で４カ所ずつ設けられて互いに光軸方向に等間隔で平行に配置されている。また、位置決め部３０ａ及び貫通穴３０ｂについても同様に、周方向に略等間隔で４カ所ずつ設けられている。
【００３６】
よって、フラットスペーサ３０は、位置決め部３０ａを固定筒１０の位置決め部１０ａと合わせることで固定筒１０に位置決めされるが、９０度ごとに回転して組み込み可能となり、どの組み込み方向かは、目印３０ｅによって判別可能となっている。
【００３７】
次に、図２及び図７を参照して、チルトスペーサ３１の構成について説明する。図７（ａ）はチルトスペーサ３１を光軸方向から見た概念図、図７（ｂ）は図７（ａ）の側面から見た概念図である。
【００３８】
図２及び図７に示すように、チルトスペーサ３１には、前述のとおり、固定筒１０のねじ穴１０ｃとマウント４０の貫通穴４０ｃと同位相、及びねじ穴１０ｃから４５度位相をずらした位置にそれぞれ４カ所ずつ、合計８カ所の貫通穴３１ｂが設けられている。ここで、合計８カ所の貫通穴３１ｂは、光軸と平行に突出し、光軸方向の高さが異なる筒部の中央を貫通して形成され、各筒部の先端面には、マウント４０と当接する受け面３１ｄが貫通穴３１ｂと同軸に設けられている。なお、図７では、筒部の高さは、便宜上誇張して図示しており、また、チルトスペーサ３１は、ねじ５０の締め付けにより光軸方向に挟持され、座面と座面をつなぐ円弧状の部分が弾性変形する。
【００３９】
チルトスペーサ３１の受け面３１ｄの反対側には、マウントシート２０を介して固定筒１０の受け面１０ｂと当接する受け面３１ｃが貫通穴３１ｂと同軸に設けられている。このように、本実施形態では、受け面３１ｃと受け面３１ｄは、略平行に配置されているが、ねじ５０の配置の関係で各受け面３１ｄは高さが異なり、受け面３１ｃは、光軸と略直交する面に配置されている。更に、チルトスペーサ３１には、固定筒１０との位置決め部３１ａ、及び組み込み方向の目印３１ｅが設けられている。
【００４０】
チルトスペーサ３１の貫通穴３１ｂは、前述のとおり、ねじ穴１０ａ（ねじ５０）と同位相に４ヶ所、周方向に４５度位相をずらした位置に４ヶ所の合計８ヶ所設けられており、固定筒１０との位置決め部３１ａも８ヶ所設けられている。そのため、チルトスペーサ３１は、光軸ｘを中心に周方向へ４５度ごとに回転させて組み込み可能となっているが、どの組み込み方向かは、１ヶ所に設けた目印３１ｅによって判別可能となっている。
【００４１】
また、受け面３１ｄで近似される仮想面３１ｇと、受け面３１ｃで近似される仮想面３１ｆとの間に、光学設計より求められた全体倒れ調整に必要な角度３１ｈを有している。そのため、チルトスペーサ３１を光軸ｘを中心に周方向へ４５度ごとに回転させることで、受け面３１ｄで近似される仮想面３１ｇを任意の方向へ光軸ｘを中心に周方向へ４５度ごとに回転させることが可能となる。
【００４２】
このため、倒れ調整機の測定結果から得られた倒れ方向の向きにチルトスペーサ３１を組み込み、固定筒１０と位置決めすることで、マウント４０の当接面４０ａに対して交換レンズ１００全体が倒れ調整機より算出された方向へ角度３１ｈだけ倒れる（図４）。これにより、イメージセンサとレンズ群２００の倒れが規定値以内に調整される。このように、フラットスペーサ３０をチルトスペーサ３１に交換し、倒れ調整機により得られた倒れ方向へチルトスペーサ３１を組み込むことで、倒れ調整が可能となる。
【００４３】
以上説明したように、本実施形態では、バックフォーカス調整や光軸の傾き調整を容易に行うことができる交換レンズ１００、及びそれを有するカメラシステムを提供することができる。
【００４４】
なお、本実施形態では、受け面３１ｄが形成される筒部は、ねじ５０の配置の関係ですべて異なる高さとなっているが、仮想面３１ｇが構成できれば、部分的に同一の高さとなる箇所があってもよい。
【００４５】
（第２の実施形態）
次に、図８及び図９を参照して、本発明の第２の実施形態に係る交換レンズについて説明する。本実施形態では、上記第１の実施形態のチルトスペーサ３１に代えてチルトスペーサ３２を用いる場合を例に採る。このため、上記第１の実施形態に対して重複する部分については、図及び符号を流用して説明する。
【００４６】
図８（ａ）は交換レンズ１００の全体倒れ調整に用いるチルトスペーサ３２の第１の組み込み状態を光軸方向から見た概念図、図８（ｂ）は図８（ａ）の側面から見た概念図である。図９（ａ）はチルトスペーサ３２の第２の組み込み状態を光軸方向から見た概念図、図９（ｂ）は図９（ａ）の側面から見た概略側断面図である。
【００４７】
図８及び図９に示すように、チルトスペーサ３２には、固定筒１０のねじ穴１０ｃとマウント４０の貫通穴４０ｃと同位相、及びねじ穴１０ｃから４５度位相をずらした位置にそれぞれ４カ所ずつ合計８カ所の貫通穴３２ｂが設けられている。ここで、合計８カ所の貫通穴３２ｂは、貫通穴３１ｂと同様に、光軸と平行に突出し、光軸方向の高さが異なる筒部の中央を貫通して形成されている。
【００４８】
そして、各筒部の先端面には、マウント４０と当接する受け面３２ｄ，３２ｅが貫通穴３２ｂと同軸に設けられている。また、受け面３２ｄが形成される筒部と受け面３２ｅが形成される筒部についても、光軸方向の高さが異なっており、受け面３２ｄと受け面３２ｅは、周方向に交互に配置されている。また、受け面３２ｄ，３２ｅの数は、ねじ穴１０ｃ（ねじ５０）の数の倍数になっている。なお、図８及び図９では、筒部の高さは、便宜上誇張して図示しており、また、チルトスペーサ３２は、ねじ５０の締め付けにより光軸方向に挟持され、座面と座面をつなぐ円弧状の部分が弾性変形する。
【００４９】
チルトスペーサ３２の受け面３２ｄ，３２ｅの反対側には、マウントシート２０を介して固定筒１０の受け面１０ｂと当接する受け面３２ｃが貫通穴３２ｂと同軸に設けられている。このように、本実施形態では、受け面３２ｃと受け面３２ｄ，３２ｅは、略平行に配置されているが、ねじ５０の配置の関係で受け面３２ｃと各受け面３２ｄ，３２ｅは間隔が異なり、かつ受け面３２ｄと受け面３２ｅも高さが異なる。受け面３２ｃは、光軸と略直交する面に配置されている。
【００５０】
即ち、受け面３２ｃと受け面３２ｄ，３２ｅは、光軸方向に略平行に配置されているが、ねじ５０の配置の関係で、受け面３２ｄ，３２ｅはそれぞれ異なる高さに配置されている。また、受け面３２ｃと受け面３２ｄとの光軸方向の間隔と、受け面３２ｃと受け面３２ｅとの光軸方向の間隔は異なっている。更に、チルトスペーサ３２には、固定筒１０との位置決め部３２ａが貫通穴３２ｂと同位相に設けられ、また、組み込み方向の一カ所の目印３２ｇと２カ所の目印３２ｆが設けられている。
【００５１】
ここで、受け面３２ｄで近似される仮想面３２ｉ（図８）、及び受け面３２ｅで近似される仮想面３２ｋ（図９）は、受け面３２ｃで近似される仮想面３２ｈに対し、光学設計より求められた全体倒れ調整に必要な角度３２ｊ，３２ｍをそれぞれ有している。また、受け面３２ｄ及び仮想面３２ｉの組み込み目印を目印３２ｆとし、受け面３２ｅ及び仮想面３２ｋの組み込み目印を目印３２ｇとしている。
【００５２】
これにより、チルトスペーサ３２を、目印３２ｆを基準に光軸ｘを中心に周方向へ９０度ごとに回転させることで、受け面３２ｄで近似される仮想面３２ｉを任意の方向へ光軸ｘを中心に周方向へ９０度ごとに回転させることが可能となる。また、同様に、目印３２ｇを基準に光軸ｘを中心に周方向へ９０度ごとに回転させることで、受け面３２ｅで近似される仮想面３２ｋを任意の方向へ光軸ｘを中心に周方向に９０度ごとに回転させることが可能となる。
【００５３】
このように、目印３２ｆ及び目印３２ｇを基準に固定筒１０へ組み込むことで、任意の方向へ光軸ｘを中心に周方向へ仮想面３２ｉ及び仮想面３２ｋをそれぞれ９０度ごとに回転させ、角度３２ｊ及び角度３２ｍだけ倒れ調整することが可能となる。これにより、倒れ調整機の測定結果から得られた倒れ方向にチルトスペーサ３２を組み込み、固定筒１０と位置決めすることで、倒れ調整が可能となり、イメージセンサとレンズ群２００の倒れが規定値以内に調整される。
【００５４】
なお、本実施形態では、受け面３２ｄ，３２ｅが形成される筒部は、ねじ５０の配置の関係ですべて異なる高さとなっているが、仮想面３２ｉ及び仮想面３２ｋが構成できれば、部分的に同一の高さとなる箇所があってもよい。
【００５５】
また、本実施形態では、仮想面３２ｈと仮想面３２ｉ，３２ｋとの間に角度３２ｊ，３２ｍをそれぞれ有しているが、仮想面３２ｈに対して、仮想面３２ｉ及び仮想面３２ｋのいずれか一方の面を平行に構成してもよい。このようにすると、一つのスペーサでフラットスペーサとチルトスペーサを兼用することができる。
【００５６】
また、本実施形態では、受け面３２ｄ及び受け面３２ｅの２通りを設けているが、倒れ調整の範囲によっては３通り以上設けてもよい。
【００５７】
以上説明したように、本実施形態では、フラットスペーサ３０をチルトスペーサ３２に交換し、倒れ調整機により得られた倒れ方向へチルトスペーサ３２を組み込むことで、２通りの倒れ調整が可能となる。その他の構成、及び作用効果は、上記第１の実施形態と同様である。
【００５８】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５９】
１０  固定筒
３１  チルトスペーサ
３１ｃ  受け面
３１ｄ  受け面
４０  マウント
１００  交換レンズ
２００  レンズ群
【図１】
2019132937.tif 000003
【図２】
2019132937.tif 000004
【図３】
2019132937.tif 000005
【図４】
2019132937.tif 000006
【図５】
2019132937.tif 000007
【図６】
2019132937.tif 000008
【図７】
2019132937.tif 000009
【図８】
2019132937.tif 000010
【図９】
2019132937.tif 000011